(57)【要約】【課題】  被測定者が過去の測定値に対して、今回の測定値がどの程度変化したかを容易に確認し得る体組成計を提供する。【解決手段】  測定データ表示部５ａの他に、腕、脚などの身体部位からなる身体を表す形状を表示する身体表示部５ｂと、測定データを記憶する記憶部を備え、過去、例えば３０日前の筋肉率、体脂肪率と今回の筋肉率、体脂肪率とを比較して、それぞれの増減値を表示するとともに、体脂肪率に対する筋肉率の変動幅を算出し、変動幅が筋肉率の減少方向にａ％より大きい場合は、身体表示部５ｂの背景を赤色点灯するとともに、該当部位を点滅点灯する。また、変動幅が筋肉率の増大方向にａ％より大きい場合に、身体表示部５ｂの背景を青色点灯するとともに、該当部位を点滅点灯する。【選択図】      図７
2005261488.tif 000002
【特許請求の範囲】
【請求項１】
体脂肪率、筋肉率などの生体情報を測定する体組成計において、
全身及び腕、脚など身体の各部位毎の前記生体情報を測定する測定手段と、
前記生体情報の測定データを記憶する手段と、
この記憶されている前記生体情報の測定データと、最新の前記生体情報の測定データとを比較する測定データ比較手段と、
前記生体情報の測定データを表示する測定データ表示手段と、
腕、脚などの身体の各部位からなる身体を表す形状を表示する身体表示部と、  前記身体表示部の表示態様を前記測定データの比較結果に応じて制御する身体表示制御手段と、
を備えたことを特徴とする体組成計。
【請求項２】
前記身体表示制御手段で制御される表示態様は、前記身体表示部で表示される身体形状の背景色であることを特徴とする請求項１記載の体組成計。
【請求項３】
前記身体表示制御手段は、前記測定データ表示手段が全身の測定データを表示しているときに、前記測定データ比較手段の比較結果に応じて、前記身体表示部の表示態様を制御することを特徴とする請求項１又は請求項２記載の体組成計。
【請求項４】
前記身体表示制御手段は、前記測定データ表示手段によって表示される表示内容に応じて、前記身体表示部の表示態様を制御することを特徴とする請求項１又は請求項２記載の体組成計。
【請求項５】
前記身体表示制御手段は、前記身体表示部で表示される身体形状の全部あるいは一部の部位を点滅させることを特徴とする請求項３又は請求項４記載の体組成計。
【請求項６】
前記測定データ表示手段で表示される測定データは、複数の生体情報の測定データであることを特徴とする請求項３又は請求項４記載の体組成計。
【請求項７】
前記測定データ表示手段で表示される測定データは、複数の生体情報の演算結果であることを特徴とする請求項３又は請求項４記載の体組成計。
【請求項８】
前記複数の生体情報は、体脂肪率と筋肉率であり、演算結果は筋肉率と体脂肪率の比の変動度合いであることを特徴とする請求項７記載の体組成計。
【発明の詳細な説明】
【技術分野】
【０００１】
この発明は、生体の体脂肪量・率、除脂肪量・率、内臓脂肪面積・量、筋肉量・率、水分量等の組成を測定する体組成計に関する。
【背景技術】
【０００２】
体組成計には、１対の電極を生体の適所（例えば、右手−左手、右足−左足、手−足間等）に接触させ、両電極間に電流を通電して電圧を検出して生体インピーダンスを計測するとともに、体重計で体重を測定し、あるいは入力し、予め設定した年齢、性別、身長とともに、体重と測定インピーダンスとに基づいて、体脂肪量・率などを計測し、表示するものが知られている。
【０００３】
この種の体組成計において、測定した体脂肪を表示するのに、体脂肪量に応じて、やせすぎ、やせぎみ、正常、肥りぎみ、肥りすぎ等を人型表示で、しかも色を異ならせて表示する技術が開示されている（例えば、特許文献１参照）。
【０００４】
また、生体組成に関する測定結果を数値だけでなく、視覚的にも解かり易いものとするため、身体組成に関する指標をアニメーション表示し、例えば具体的には、人体形状の一部に体幹部位を表示するとともに、組成値を一目でわかるように図形グラフに表示するようにした生体測定装置が開示されている（例えば、特許文献２参照）。
【０００５】
また、算出された体脂肪率及び体格指数から、これらの組み合わせによって総合的に肥満指標を判断し、これに対応した人体形状の指標図形を測定値のデジタル表示領域とは別の表示領域に表示するようにした健康管理指針アドバイス装置も開示されている（例えば、特許文献３参照）。
【０００６】
更にまた、体重、体脂肪率、血圧等の健康管理指標データを、予め設定した比較データと比較して、その比較結果に応じて、表示手段に表示する健康管理指標データの表示色、健康管理指標データの背景表示色を変更制御するようにした技術が開示されている（例えば、特許文献４参照）。
【特許文献１】特開平７−２０４１６４号公報
【特許文献２】特開２００４−８６５９号公報
【特許文献３】特開２００２−１９１５７３号公報
【特許文献４】特開２００２−１５９４５０号公報
【発明の開示】
【発明が解決しようとする課題】
【０００７】
体組成計において、体脂肪量・率などを測定する場合、測定値のみが表示されるのではなく、今回の測定結果が果たして好ましい方に変化しているかどうか知りたいところである。この要望に応えるために、従来の体組成計において、測定結果を予め定めた標準値、基準値と比較し、その結果に応じ、太い、正常、細い人体形状を選択表示し、あるいは更に色を変えるようにして一目で測定結果の良し悪しがわかるようにした提案がなされている。
【０００８】
ところで、体組成計を使用する目的は、例えば体脂肪量・率が基準値に対して、どの程度か知りたい場合の他に、使用者自身が運動を継続し、あるいは食事制限を続けた、その成果を知りたい場合がある。測定により、今回の測定値が過去に対して改善されたのか、否か知り得れば便利である。
【０００９】
しかしながら、上記した各特許文献に記載の体組成計では、比較は標準値、基準値との比較結果を表示するのがほとんどであり、自身が運動等によって、どの程度、例えば体脂肪量を減らすことができたのか知ることができない。
【００１０】
この発明は上記問題点に着目してなされたものであって、使用者が過去の測定時に対して体組成が改善されているのかを容易に確認し得る体組成計を提供することを目的とする。
【課題を解決するための手段】
【００１１】
この発明の請求項１に係る体組成計は、体脂肪率、筋肉率などの生体情報を測定する体組成計において、全身及び腕、脚など身体の各部位毎の前記生体情報を測定する測定手段と、前記生体情報の測定データを記憶する手段と、この記憶されている前記生体情報の測定データと、最新の前記生体情報の測定データとを比較する測定データ比較手段と、前記生体情報の測定データを表示する測定データ表示手段と、腕、脚などの身体の各部位からなる身体を表す形状を表示する身体表示部と、前記身体表示部の表示態様を前記測定データの比較結果に応じて制御する身体表示制御手段と、を備えている。
【００１２】
請求項２に係る体組成計は、請求項１に記載のものにおいて、前記身体表示制御手段で制御される表示態様が、前記身体表示部で表示される身体形状の背景色であることを特徴とする。
【００１３】
また、請求項３に係る体組成計は、請求項１又は請求項２に記載のものにおいて、前記身体表示制御手段が、前記測定データ表示手段に全身の測定データが表示されているときに、前記測定データ比較手段の比較結果に応じて、前記身体表示部の表示態様を制御することを特徴とする。
【００１４】
また、請求項４に係る体組成計は、請求項１又は請求項２に記載のものにおいて、前記身体表示制御手段が、前記測定データ表示手段によって表示される表示内容に応じて、前記身体表示部の表示態様を制御することを特徴とする。
【００１５】
また、請求項５に係る体組成計は、請求項３又は請求項４に記載のものにおいて、前記身体表示制御手段が、前記身体表示部で表示される身体形状の全部あるいは一部の部位を点滅させることを特徴とする。
【００１６】
また、請求項６に係る体組成計は、請求項３又は請求項４に記載のものにおいて、前記測定データ表示手段で表示される測定データが、複数の生体情報の測定データであることを特徴とする。
【００１７】
また、請求項７に係る体組成計は、請求項３又は請求項４に記載のものにおいて、前記測定データ表示手段で表示される測定データが、複数の生体情報の演算結果であることを特徴とする。
【００１８】
また、請求項８に係る体組成計は、請求項７に係るものにおいて、前記複数の生体情報が、体脂肪率と筋肉率であり、演算結果が筋肉率と体脂肪率の比の変動度合いであることを特徴とする。
【発明の効果】
【００１９】
この発明によれば、今回測定のデータを過去に測定して記憶してあるデータと比較して、その比較結果に応じて身体表示部における表示態様を変えるので、被測定者はどれだけ生体情報が変化したのか、運動、食事制限等による効果がどの程度あったか直ちに、かつ直感的に知ることができる。また、全身、あるいは各部位別に変化のあったこと、及びその傾向を容易に認識することができる。
【発明を実施するための最良の形態】
【００２０】
以下、実施の形態により、この発明を更に詳細に説明する。図１は、この発明の一実施形態である体組成計の外観図である。この実施形態体組成計１は、体重計２と、体組成計本体３とから構成されている。体重計２と体組成計本体３とは、伸縮自在なコード７で電気的に接続されている。
【００２１】
体重計２は、内部に体重測定用の歪センサを備えるとともに、表面に生体インピーダンス測定用の左足電極８Ｌ、９Ｌ、右足電極８Ｒ、９Ｒを備えている。左足電極８Ｌと右足電極８Ｒは、高周波電流通電用の電極であり、ケース体内で互いに電気的に接続されている。左足電極９Ｌと右足電極９Ｒは、計測用電極であり、やはりケース体内で互いに電気的に接続されている。
【００２２】
体組成計本体３は、本体部４と、左握部１１と、右握部１２とからなり、本体部４には表示部５と操作部６を備えている。本体部４の両側には、自転車のハンドル状に左握部１１と右握部１２が一体的に形成されている。左握部１１には左手電極１３Ｌ、１４Ｌが、右握部１２には右手電極１３Ｒ、１４Ｒが、それぞれ設けられており、これら電極１３Ｌ、１４Ｌ、１３Ｒ、１４Ｒはケース内部で本体部４の回路部に接続されている。
【００２３】
本体部４の表示部５、操作部６を図２で具体的に示す。表示部５は測定値等をデジタル数値で示す大きな円形状の表示部５ａと、判定結果を表示する小さな円形状の判定表示部５ｂとを有する。操作部６は、被測定者を特定するキー１５-1、１５-2、及びゲストキー１５-3の他、ＤＯＷＮキー１６、ＵＰキー１７、設定／表示切替キー１８、メモリ切替キー１９、更に判定モードを選択設定するための全身キー２０-1、体幹キー２０-2、脚キー２０-3、腕２０-4を備えている。
【００２４】
キー１５-1、１５-2は、予め登録されている個人１、個人２を指定入力するためのキーである。１５-3は、登録外の他の人、つまりゲストが本装置を使用する場合に使用するキーである。ＤＯＷＮキー１６、ＵＰキー１７は、マーカ、あるいは数値を下降、上昇させる場合に操作するキーである。設定／表示切替キー１８は、項目を設定し、表示を切り替える際に使用するキーである。メモリ切替キー１９は、メモリに記憶されるポイント（過去）データを読み出すときに操作するキーである。全身キー２０-1は、全身測定モードを指定するキーであり、体幹キー２０-2、脚キー２０-3、腕キー２０-4は、それぞれ体幹測定モード、脚測定モード、腕測定モードと、それぞれの部位の測定モードを指定する。
【００２５】
この実施形態体組成計の回路構成を図３に示す。上述したように、この体組成計の体重計２には、体重測定用の歪センサを内蔵するとともに、生体インピーダンス測定用の右足電極８Ｒ（９Ｒ）、左足電極８Ｌ（９Ｌ）を備えている。右足電極８Ｒと左足電極８Ｌは、高周波印加用電極、右足電極９Ｒと左足電極９Ｌは測定電極である。組成系本体３は、表示部５と、操作部６と、生体インピーダンス測定部２２と、信号切替回路２３と、Ａ／Ｄ変換部２４と、ＣＰＵ２５と、外部メモリ２６とを備えている。
【００２６】
生体インピーダンス測定部２２は、右足電極８Ｒ（９Ｒ）、左足電極８Ｌ（９Ｌ）、右手電極１３Ｒ（１４Ｒ）、左手電極１３Ｌ（１４Ｌ）が接続され、計測用電極間の電圧を検出し、生体インピーダンスを測定する。この生体インピーダンス測定部２２では、全身及び体幹、脚、腕等の各部位のインピーダンスをそれぞれ測定できる。信号切替回路２３は、ＣＰＵ２５の切替指令により、体重計２からの測定体重信号と、生体インピーダンス２２で測定した生体インピーダンスを切り替えて出力する。Ａ／Ｄ変換部２４は、信号切替回路２３から出力された信号をアナログからデジタル信号に変換して、ＣＰＵ２５に入力する。ＣＰＵ２５は、予め操作部６より入力登録されている性別、年齢、身長と、体重計２から入力される体重と、生体インピーダンス測定部２２から入力される生体インピーダンスとに基づいて、体脂肪量・率、除脂肪量・率、内臓脂肪面積・量、筋肉率、その他の体組成を全身及び部位毎に算出する機能を有する。外部メモリ２６は測定した過去の体組成データを記憶している。外部メモリ２６の各個人毎の各部位毎の記憶内容の一例を図１０に示す。操作部６のメモリ切替キー１９を操作することにより、７日前データ、３０日前データ、９０日前データを呼び出すことができる。
【００２７】
この実施形態において、特徴的なところは、測定した体組成を過去データと比較して、変動度合いを判定し、変動度合いに応じ、色を変えて表示するようにしたことである。また、体組成を過去データを比較するのに、全身モードで判別する場合と、部位モードとして判別する場合を設けたことである。
【００２８】
ここでの変動度合い判定機能に関し、過去のデータと比較して変動度合いを判定する場合について説明する。
【００２９】
判定は、Ｐ＝ｆ（筋肉率、脂肪率）〔％〕
を求め、この筋肉率と脂肪率の比率Ｐが±ａ％以上動いたとき、あるいは変動幅が±ａ％未満のときにカラー判定する。カラー判定は、全身モード、部位別モード毎（全身モードキー２０-1、体  キー２０-2、脚キー２０-3、腕キー２０-4の操作による）に行う。
【００３０】
全身モード選択時は、変動幅が−ａ％以下（筋肉率が減った）の場合は、判定表示部５ｂの背景部を赤色点灯し、各部位のうち、変動幅が−ａ％以下の部位のブロックを点滅点灯とし、残りの部位（変動幅が−ａ％以下でない部位）のブロックを点灯する。変動が±ａ％未満（±ａ％未満の変動）の場合は、判定表示部５ｂを緑色点灯する。この場合、各部位のブロックの点滅はしない。次に、変動幅が＋ａ％以上（筋肉が増えた）の場合は、判定表示部５ｂの背景部を青色点灯し、各部位のうち、変動幅が＋ａ％以上の部位のブロックを点滅点灯し、残りの部位（変動幅が＋ａ％以上でない部位）のブロックを点灯する。
【００３１】
このように全身モードにおいて、判定表示部５ｂの色により、全身として見た場合に、筋肉率がどのように変化したかを知ることができる。また、どの部位のブロックが点滅点灯しているかにより、特にどの部位において、筋肉率が顕著に変動したかを知ることができる。
【００３２】
次に、各部位モード選択時は、変動幅が−ａ％以下（筋肉率が減った）場合は、判定表示部５ｂの背景部を赤色点灯し、その部位を点灯する。変動幅が±ａ％未満（±ａ％未満の変動）の場合は、判定表示部５ｂの背景部を緑色点灯し、その選択部位も点灯する。次に、変動幅が＋ａ％（筋肉率が増えた）の場合は、判定表示部５ｂの背景部を青色点灯し、その部位を点灯する。
【００３３】
このように各部位モードにおいて、判定表示部５ｂの色と、どの部位ブロックが点灯しているかにより、どの部位の筋肉率がどのよう変化したかを知ることができる。
【００３４】
次に、各モードにおける具体的な表示例を説明する。先ず、全身モードにおいて、測定結果画面が図６の（ａ）に示すものとする。ここでは、筋肉率が２８．８％、体脂肪率が２３．０％であることを示している。次に、メモリ切替キー１９を操作して、７日前のデータを読み出し、変動幅を算出し表示すると、図６の（ｂ）となる。ここでは変動幅が±ａ％未満とし、判定表示部５ｂの背景部が緑色とされ、人アイコンの点滅はない。
【００３５】
続いて、メモリ切替テー１９を操作して、３０日前のデータを読み出して、筋肉率と体脂肪率の変化を図７の（ｃ）に示す。ここでは、筋肉率と体脂肪率の比の変動幅が−ａ％以下であるとし、判定表示部５ｂの背景部を赤色とし、かつ脚部が筋肉率の減少が顕著であるとして、人体アイコンの脚部のみ点滅点灯している。更に続いて、メモリキー１９を操作して、９０日前のデータを読み出して、筋肉率と体脂肪率の変化を算出した結果を図７の（ｄ）に示す。ここでは、筋肉率と体脂肪率の比の変動幅が＋ａ％以上であるとし、判定表示部５ｂの背景部を青色とし、かつ脚部の筋肉率の増加が顕著であるとして、人体アイコンの脚部のみ点滅点灯している。
【００３６】
部位別として腕モードを選択した場合の、かつ３０日前のデータとの比較例を図８の（ｅ）に示す。この表示例では、腕部の筋肉率と体脂肪率の比の変動率が＋ａ％以上であるとし、判定表示部５ｂの背景部を青色点灯し、人体アイコンの腕部のみを点灯表示している。次に、部位別として体幹モードを選択した場合の、かつ３０日前のデータとの比較例を、図８の（ｆ）に示す。この表示例では、体幹の筋肉率と体脂肪率の比の変動幅を±ａ％未満であるとし、判定表示部５ｂの背景部を緑色点灯し、人体アイコンの体幹ブロックのみを点灯している。
【００３７】
また、部位別として脚モードを選択した場合の、かつ３０日前のデータとの比較例を図９の（ｇ）に示す。この表示例では、脚の筋肉率と体脂肪率の比の変動幅を−ａ％以下であるとし、判定表示部５ｂの背景部を赤色点灯し、人体アイコンの脚ブロックのみを点灯している。
【００３８】
次に、この実施形態体組成計の測定処理動作を図４、図５に示すフロー図を参照して説明する。電源スイッチがＯＮすると、処理が開始され、ステップＳＴ１において、体重計２の初期化を行う。つまり、被測定者が体重計２に載る前の体重計２の出力を０とする。次に、ステップＳＴ２へ移行する。ステップＳＴ２においては、体重センサ出力が安定か否か判定する。体重センサの出力が不安定の場合は、ステップＳＴ１へ戻り、初期化を繰り返す。一方、体重センサの出力が安定すると、ステップＳＴ３へ移行する。ステップＳＴ３においては、体重測定準備終了とし、次にステップＳＴ４へ移行する。
【００３９】
ステップＳＴ４においては、個人番号選択有りか否かを判定する。操作部６の呼び出しキー１５-1、１５-2、１５-3のいずれもが押されない場合は、ステップＳＴ５へ移行する。一方、呼び出しキー１５-1、１５-2、１５-3のいずれかが押されると、ステップＳＴ１１へ移行する。
【００４０】
ステップＳＴ５では、体重のみ測定モードに入る。次に、ステップＳＴ６においては、被測定者が体重計２に載ったことを受けて、体重計２による体重測定を開始する。続いて、ステップＳＴ７へ移行する。ステップＳＴ７においては、所定時間内に体重値が安定したか否かを判定する。所定時間内で測定体重値の変動値が所定値内であると、ステップＳＴ８へ移行する。一方、所定時間が経過しても測定体重値の変動値が所定値内にならない場合は、ステップＳＴ１０へ移行し、エラー処理する。ステップＳＴ８においては、体重値を確定する。例えば、所定時間内における測定体重値の中間値を確定体重値とする。次に、ステップＳＴ９へ移行する。ステップＳＴ９においては、確定体重値を表示部５ａに表示する。続く電源ＯＦＦで処理を終了する。
【００４１】
ステップＳＴ１１においては、メモリＳＷが押されたか否か判定する。メモリ切替キー１９が操作されると、ステップＳＴ１６へ移行する。一方、メモリ切替キー１９が操作されないと、ステップＳＴ１２へ移行する。ステップＳＴ１６においては、外部メモリ２６より、過去のメモリ値を読み出し、表示部５ａに表示する。最初のメモリ切替キー１９が操作され、７日前のデータが読み出され、表示される。次に、メモリ切替キー１９が押される毎に、３０日前のデータ、９０日前のデータ、再び元の７日前のデータと順次切り替えて読み出され、順次表示される。
【００４２】
ステップＳＴ１２においては、体重と体組成測定モードに入る。次のステップＳＴ１３において、体重測定を開始する。続いて、ステップＳＴ１４へ移行する。ステップＳＴ１４においては、所定時間内に体重値が安定したか否かを判定する。所定時間内で、測定体重値の変動値が所定値内であると、ステップＳＴ１５へ移行する。一方、所定時間が経過しても、測定体重値の変動値が所定値内にならない場合は、ステップＳＴ１７へ移行し、エラー処理する。ステップＳＴ１５においては、体重値を確定する。この場合も、ステップＳＴ８と同様、例えば所定時間内における測定体重値の中間値を確定体重値とする。続いて、ステップＳＴ１８へ移行する。
【００４３】
ステップＳＴ１８においては、生体のインピーダンス測定を開始する。次に、ステップＳＴ１９へ移行する。ステップＳＴ１９では、リアルタイムに測定が繰り返されると、インピーダンス値が所定の時間内に所定範囲内にあるか否かを判定する。所定範囲内にある場合には、被測定者が脚用電極上に載り、かつ左右両手の電極を把持しているものとし、ステップＳＴ２０へ移行する。一方、所定時間内にインピーダンス値が所定範囲内とならない場合は、ステップＳＴ２８へ移行し、エラー処理する。
【００４４】
ステップＳＴ２０においては、所定時間内に測定インピーダンス値が安定したか否か判定する。所定時間内でインピーダンス値の変動値が所定値以内となると、ステップＳＴ２１へ移行する。一方、所定時間が経過しても、インピーダンス値の変動値が所定値内とならない場合は、ステップＳＴ２９へ移行し、エラー処理する。
【００４５】
ステップＳＴ２１においては、インピーダンス値を確定する。ここでは、例えば所定時間内における測定インピーダンスの中間値を確定インピーダンス値とする。次に、ステップＳＴ２２へ移行する。ステップＳＴ２２においては、上記ステップＳＴ１５で得た体重値と上記ステップＳＴ２１で得たインピーダンス値と、予め記憶してある個人データとに基づいて、体脂肪量・率、除脂肪量・率、内臓脂肪面積、筋肉率などの体組成を算出する。その体組成は今回データとして、日付け付きで外部メモリ２６に記憶する。続いて、ステップＳＴ２３へ移行する。ステップＳＴ２３においては、表示部５ａに求めた体組成値を表示する。
【００４６】
ここでは、最初に体重と基礎代謝量が表示部５ａに表示される。設定／表示切替キー１８が押される度に、全身の筋肉率／全身の体脂肪率、ＢＭＩ／内臓脂肪レベル、体年齢が順次表示される。次にステップＳＴ２４へ移行する。
【００４７】
ステップＳＴ２４においては、メモリ切替キー１９が押されたか否か判定する。メモリ切替キー１９が押されると、ステップＳＴ２５へ移行する。一方、メモリ切替キー１９が押されない場合は、ステップＳＴ２６へ移行する。ステップＳＴ２５においては、過去のメモリ値を外部メモリ２６より読み出して、表示部５ａに表示する。今、メモリキー１９が押される前に、全身の筋肉率／全身の体脂肪率が表示されていたとすると、メモリキー１９が押されたことにより、７日前の測定データである全身の筋肉率／全身の体脂肪率と、この７日前の測定データに対する今回の測定データの差値が表示される。ここで、続けて３０日前の測定データ、９０日前の測定データ、７日前の測定データが順次読み出され、それぞれの時点における筋肉率／全身の体脂肪率と、各時点における測定データに対する今回の測定データの差値が表示される。また、ここでは表示部５ｂに各時点の測定データに対する今回の測定データの増減の判定結果が表示される。
【００４８】
ステップＳＴ２６においては、部位キーが押されたか否か判定する。体幹キー２０-2、脚キー２０-3、腕キー２０-4のいずれかが押されると、ステップＳＴ２７へ移行する。一方、メモリ切替キー１９、部位別キー２０-2、２０-3、２０-4等が押されない状態で電源がＯＦＦされると、処理を終了する。
【００４９】
ステップＳＴ２７においては、メモリ切替キー１９が押されていない状態で体幹の体組成値が表示部５ａに表示される。例えば、ステップＳＴ２３において、全身の筋肉率／全身の体脂肪率が表示されていたとすると、ここで体幹の筋肉率／体幹の体脂肪率が表示部５ａに表示される。続いて今度は、例えば腕キー２０-4が押されると、腕の筋肉率／腕の体脂肪率が表示される。
【００５０】
メモリ切替キー１９が押されて表示部５ａに７日前の全身の筋肉率／全身の体脂肪率が表示されている状態で、体幹キー２０-2が押されると、ステップＳＴ２７においては、７日前の体幹の筋肉率／体幹の体脂肪率と、この７日前の測定データである体幹の筋肉率／体幹の体脂肪率に対する今回の測定データの差値が表示される。と同時に、表示部５ｂに７日前の体幹の測定データに対する今回の体幹測定データの増減の判定結果が表示される。
【００５１】
ここで、図１１に示すフロー図を参照して過去データに対する今回の測定データの増減の判定結果の表示処理について説明する。この判定結果表示ルーチンに入ると、先ず、ステップＳＴ３１において、測定モードが全身モードであるか否か判定する。全身モードであれば、ステップＳＴ３２へ移行する。一方、全身モードでない場合（部位別モードの場合）は、ステップＳＴ３７へ移行する。
【００５２】
ステップＳＴ３２においては、前回（過去）に対する今回の測定値の変動幅が−ａ％以下か否か判定する。今回の測定値がａ％より以上に減少した場合は、ステップＳＴ３３へ移行する。一方、ａ％以上に減少していない場合は、ステップＳＴ３４へ移行する。ステップＳＴ３３においては、表示部５ｂの背景部を赤色点灯し、部位別に見て、ａ％以上に減少している部位の人体アイコンの相当ブロックを点滅点灯する。その他の部位のブロックは点灯する。
【００５３】
ステップＳＴ３４においては、変動幅が±ａ％未満か否か判定する。変動幅が小さく、±ａ％未満であれば、ステップＳＴ３５へ移行する。一方、±ａ％未満でない場合、つまりここでは今回値がａ％以上増加している場合に、ステップＳＴ３６へ移行する。ステップＳＴ３５においては、表示部５ｂの背景部を緑色点灯する。人体アイコンは点灯しない。ステップＳＴ３６においては、表示部５ｂの背景部を青色点灯し、部位別に見て、ａ％以上に増加している部位の人体アイコンの相当ブロックを点滅点灯する。その他の部位のブロックは点灯する。
【００５４】
次に、ステップＳＴ３７においては、選択された部位の測定データの変動幅が−ａ％以下か否か判定する。今回の測定値がａ％以上に減少している場合は、ステップＳＴ３８へ移行する。一方、ａ％以上に減少していない場合は、ステップＳＴ３９へ移行する。ステップＳＴ３８においては、表示部５ｂの背景部を赤色点灯する。また、人体アイコンの相当部位のブロックを点灯する。
【００５５】
ステップＳＴ３９においては、変動幅が±ａ％未満か否か判定する。変動幅が小さく±ａ％未満であれば、ステップＳＴ４０へ移行する。一方、±ａ％未満でない場合、つまり、今回値が＋ａ％以上の増加である場合は、ステップＳＴ４１へ移行する。ステップＳＴ４０において、表示部５ｂの背景部を緑色点灯し、人体アイコンの相当部位のブロックを点灯する。ステップＳＴ４１においては、表示部５ｂの背景部を青色点灯し、人体アイコンの相当部位のブロックを点灯する。
【００５６】
なお、上記実施形態において、外部メモリに記憶する測定データは、体脂肪量・率、筋肉率、基礎代謝量などとしているが、記憶時は各部位のインピーダンスのみを記憶しておき、７日前、３０日前、９０日前データとして呼び出す際に、それぞれ体脂肪量・率、筋肉量・率等を算出して、使用するようにしても良い。  また、上記実施形態において、身体表示部５ｂの身体形状は人体としているが、動物、ロボット等の身体形状であっても良い。
【００５７】
また、上記実施形態において、測定データの比較結果に応じて、身体形状の背景色を変化させているが、背景色を変化させることに代えて、音など他の報知手段に置き換えても良い。また、身体表示部制御手段は、全体又は一部を点滅させる場合と、点灯させる場合、消灯させる場合がある。
【図面の簡単な説明】
【００５８】
【図１】この発明の一実施形態である体組成計を示す外観図である。
【図２】同実施形態体組成計の組成本体部の表示、操作部を示す図である。
【図３】同実施形態体組成計の回路構成を示すブロック図である。
【図４】同実施形態体組成計の測定処理動作を説明するためのフロー図である。
【図５】図４に示すフロー図とともに、同実施形態体組成計の測定処理動作を説明するためのフロー図である。
【図６】同実施形態体組成計における表示例を示す図である。
【図７】同実施形態体組成計における他の表示例を示す図である。
【図８】同実施形態体組成計における更に他の表示例を示す図である。
【図９】同実施形態体組成計における更に他の表示例を示す図である。
【図１０】同実施形態体組成計の外部メモリのデータ記憶内容の一例を示す図である。
【図１１】同実施形態体組成計の過去値に対する今回値の評価時の表示処理動作を説明するフロー図である。
【符号の説明】
【００５９】
１                              体組成計
２                              体重計
３                              組成計本体
５                              表示部
５ａ                            測定値表示部
５ｂ                            人体アイコン表示部
６                              操作部
７                              コード
８Ｌ、８Ｒ、９Ｌ、９Ｒ          足用電極
１１、１２                      握部
１３Ｌ、１３Ｒ、１４Ｌ、１４Ｒ  手用電極
１５-1、１５-2、１５-3          呼び出しキー
１９                            メモリ切替キー
２０-1                          全身キー
２０-2                          体幹キー
２０-3                          脚キー
２０-4                          腕キー
２２                            生体インピーダンス測定部
２３                            信号切替回路
２４                            Ａ／Ｄ変換部
２５                            ＣＰＵ
２６                            外部メモリ
【図１】
2005261488.tif 000003
【図２】
2005261488.tif 000004
【図３】
2005261488.tif 000005
【図４】
2005261488.tif 000006
【図５】
2005261488.tif 000007
【図６】
2005261488.tif 000008
【図７】
2005261488.tif 000009
【図８】
2005261488.tif 000010
【図９】
2005261488.tif 000011
【図１０】
2005261488.tif 000012
【図１１】
2005261488.tif 000013